(57)【特許請求の範囲】
【請求項１】
機器に関する点検作業項目と、前記点検作業項目に関する説明文、注意事項集、不適合事例及び動画のうち、少なくとも一つを含む点検作業詳細情報を保持する記憶手段と、
点検対象とされる機器に関する機器情報を取得する取得手段と、
前記機器情報に基づいて前記記憶手段から前記点検作業項目を抽出し、前記点検対象とされる機器に関する複数の点検作業項目からなる点検作業リストを作成するリスト作成手段と、
前記点検作業リスト中の前記点検作業項目が選択されたとき、選択された前記点検作業項目に対応した点検作業詳細画面を表示装置に表示させる表示制御手段と、
を備え、
前記点検作業詳細画面は、指定されたとき、前記説明文、前記注意事項集、前記不適合事例又は前記動画を表示装置に表示させる少なくとも一つの第１ボタンを含み、
前記表示制御手段は、前記点検作業詳細画面中の前記第１ボタンが指定されたとき、前記第１ボタンに対応した前記説明文、前記注意事項集、前記不適合事例又は前記動画を前記表示装置に表示させる機器点検支援システム。
【請求項２】
前記点検作業項目に関する測定結果、写真及びテキストの少なくともいずれか一つを入力する入力手段を更に備え、
前記点検作業詳細画面は、指定されたとき、前記測定結果、前記写真又は前記テキストを入力できる入力画面を前記表示装置に表示させる少なくとも一つの第２ボタンを含み、
前記表示制御手段は、前記点検作業詳細画面中の前記第２ボタンが指定されたとき、前記第２ボタンに対応した前記測定結果、前記写真又は前記テキストを入力できる前記入力画面を前記表示装置に表示させる請求項１に記載の機器点検支援システム。
【請求項３】
入力された前記測定結果に基づいて、前記機器の状態の適否を判定する判定手段と、
を更に備える請求項１又は２に記載の機器点検支援システム。
【請求項４】
前記表示制御手段は、前記判定手段による判定結果及び前記判定結果に基づく前記点検作業詳細情報を表示させる請求項３に記載の機器点検支援システム。
【請求項５】
前記記憶手段は、前記点検作業項目ごとの報告書テンプレートを更に保持し、
前記判定手段による判定結果を前記報告書テンプレートへ挿入して報告書を作成する報告書作成手段を更に備える請求項３又は４に記載の機器点検支援システム。
【請求項６】
前記点検作業項目に関する測定結果を入力する入力手段と、
入力された前記測定結果に基づいて、前記測定結果の時間経過を表示装置に表示させる表示制御手段を更に備える請求項１に記載の機器点検支援システム。
【請求項７】
前記点検作業リストに基づいて前記点検作業項目からなる工程表を作成する工程表作成手段を更に備える請求項１に記載の機器点検支援システム。
【請求項８】
記憶手段が機器に関する点検作業項目と、前記点検作業項目に関する説明文、注意事項集、不適合事例及び動画のうち、少なくとも一つを含む点検作業詳細情報を保持する記憶ステップと、
点検対象とされる機器に関する機器情報を取得する取得ステップと、
前記機器情報に基づいて前記記憶手段から前記点検作業項目を抽出し、前記点検対象とされる機器に関する複数の点検作業項目からなる点検作業リストを作成するリスト作成ステップと、
前記点検作業リスト中の前記点検作業項目が選択されたとき、選択された前記点検作業項目に対応した点検作業詳細画面を表示装置に表示させる表示ステップと、
を備え、
前記点検作業詳細画面は、指定されたとき、前記説明文、前記注意事項集、前記不適合事例又は前記動画を表示装置に表示させる少なくとも一つの第１ボタンを含み、
前記表示ステップは、前記点検作業詳細画面中の前記第１ボタンが指定されたとき、前記第１ボタンに対応した前記説明文、前記注意事項集、前記不適合事例又は前記動画を前記表示装置に表示させる機器点検支援方法。
【請求項９】
前記点検作業項目に関する測定結果、写真及びテキストの少なくともいずれか一つを入力する入力ステップを更に備え、
前記点検作業詳細画面は、指定されたとき、前記測定結果、前記写真又は前記テキストを入力できる入力画面を前記表示装置に表示させる少なくとも一つの第２ボタンを含み、
前記表示ステップは、前記点検作業詳細画面中の前記第２ボタンが指定されたとき、前記第２ボタンに対応した前記測定結果、前記写真又は前記テキストを入力できる前記入力画面を前記表示装置に表示させる請求項８に記載の機器点検支援方法。
【請求項１０】
機器に関する点検作業項目と、前記点検作業項目に関する説明文、注意事項集、不適合事例及び動画のうち、少なくとも一つを含む点検作業詳細情報を保持する記憶手段、
点検対象とされる機器に関する機器情報を取得する取得手段、
前記機器情報に基づいて前記記憶手段から前記点検作業項目を抽出し、前記点検対象とされる機器に関する複数の点検作業項目からなる点検作業リストを作成するリスト作成手段、
前記点検作業リスト中の前記点検作業項目が選択されたとき、選択された前記点検作業項目に対応した点検作業詳細画面を表示装置に表示させる表示制御手段、
としてコンピュータを機能させるためのプログラムであって、
前記点検作業詳細画面は、指定されたとき、前記説明文、前記注意事項集、前記不適合事例又は前記動画を表示装置に表示させる少なくとも一つの第１ボタンを含み、
前記表示制御手段は、前記点検作業詳細画面中の前記第１ボタンが指定されたとき、前記第１ボタンに対応した前記説明文、前記注意事項集、前記不適合事例又は前記動画を前記表示装置に表示させるプログラム。
【請求項１１】
前記点検作業項目に関する測定結果、写真及びテキストの少なくともいずれか一つを入力する入力手段としてコンピュータを更に機能させるためのプログラムであって、
前記点検作業詳細画面は、指定されたとき、前記測定結果、前記写真又は前記テキストを入力できる入力画面を前記表示装置に表示させる少なくとも一つの第２ボタンを含み、
前記表示制御手段は、前記点検作業詳細画面中の前記第２ボタンが指定されたとき、前記第２ボタンに対応した前記測定結果、前記写真又は前記テキストを入力できる前記入力画面を前記表示装置に表示させる請求項１０に記載のプログラム。
【発明の詳細な説明】
【技術分野】
【０００１】
本発明は、機器の点検作業を支援する機器点検支援システム、機器点検支援方法及びプログラムに関するものである。
【背景技術】
【０００２】
火力、水力、原子力等の発電所に設置されたタービン等の機器類の保守において、現地での監督者（スーパーバイザー）が、作業員に対して点検作業を指示したり、機器類の状態の適否を確認したりする。
【０００３】
特許文献１では、保守作業支援システム及びその方法の発明であって、保守環境下にある実務担当者の作業を支援するため、保守作業対象機器の画像データや保守作業現場からの問い合わせ情報に対して、部品図面データベース、点検記録データベース、又は分解組立要領データベースの中から保守作業支援に必要となるデータを保守作業現場に送信する技術が開示されている。
【０００４】
特許文献２では、点検作業用携帯端末装置及びこの装置を用いた点検データ管理システムの発明であって、点検作業及びその報告書作成等の省力化、効率化を図るため、点検対象物の測定情報に基づく計算結果に基づいて、点検対象物がどのような状態であるかを予め記憶された状態パターンから選択して表示させる技術が開示されている。
【先行技術文献】
【特許文献】
【０００５】
【特許文献１】特許第３７３６３３１号公報
【特許文献２】特開２００２−１３２８３８号公報
【発明の概要】
【発明が解決しようとする課題】
【０００６】
現地での監督者は、点検工事ごとに工程表の作成等の点検準備、測定作業、点検結果の報告書作成などを行う。しかし、これらの点検工事に伴う作業は、監督者の手作業によるところが多く、作業時間が多くかかっていた。また、監督者の経験によって異なり、経験が浅い監督者の場合、作業の手戻りが発生したり、機器類の不適合時における対処がスムーズにできなかったりする場合があった。
【０００７】
本発明は、このような事情に鑑みてなされたものであって、作業効率を向上させ、作業時間を短縮化することが可能な機器点検支援システム、機器点検支援方法及びプログラムを提供することを目的とする。
【課題を解決するための手段】
【０００８】
上記課題を解決するために、本発明の機器点検支援システム、機器点検支援方法及びプログラムは以下の手段を採用する。
すなわち、本発明に係る機器点検支援システムは、機器に関する点検作業項目を保持する記憶手段と、点検対象とされる機器に関する機器情報を取得する取得手段と、機器情報に基づいて記憶手段から点検作業項目を抽出し、点検対象とされる機器に関する複数の点検作業項目からなる点検作業リストを作成するリスト作成手段とを備える。
【０００９】
この発明によれば、機器に関する点検作業項目が記憶手段に予め保持されており、点検対象とする機器が決定されると、その機器に応じた点検作業項目が抽出されて、点検作業リストが作成される。そのため、点検対象とする機器に適した点検作業リストを作成することができ、点検作業リストの作成にかかる手間を低減したり、作成される点検作業リストの質を向上させたりすることができる。
【００１０】
上記発明において、記憶手段は、点検作業項目に関する点検作業詳細情報を更に保持し、点検作業リスト中の点検作業項目が選択されたとき、選択された点検作業項目に対応した点検作業詳細情報を表示装置に表示させる表示制御手段を更に備えてもよい。
【００１１】
この発明によれば、点検作業リストから点検作業項目が選択されたとき、点検作業項目に関する点検作業詳細情報が、表示装置に表示されるため、点検作業詳細情報の取得にかかる時間を短縮でき、点検作業詳細情報に基づいた作業が行われることによって、作業の効率化や正確性、点検結果による機器状態の適否判断を向上させることができる。
【００１２】
上記発明において、点検作業項目に関する測定結果を入力する入力手段と、入力された測定結果に基づいて、機器の状態の適否を判定する判定手段とを更に備えてもよい。
【００１３】
この発明によれば、点検作業によって測定された測定結果から、機器状態の適否が判定されるため、判定結果の正確性を向上かつ安定化させる。
【００１４】
上記発明において、表示制御手段は、判定結果及び判定結果に基づく点検作業詳細情報を表示させてもよい。
【００１５】
この発明によれば、判定結果が表示されるため、機器状態の適否が簡単に識別され得るようになる。また、判定結果に基づく点検作業詳細情報が表示されるため、判定結果に応じた点検作業詳細情報の取得にかかる時間を短縮でき、点検作業詳細情報に基づいた作業が行われることによって、作業の効率化や正確性を向上させることができる。
【００１６】
上記発明において、点検作業詳細情報は、点検作業項目に関する説明文、注意事項集、不適合事例及び動画のうち、少なくとも一つを含んでもよい。
【００１７】
この発明によれば、点検作業項目に関する点検作業詳細情報として、点検作業項目に関する説明文、注意事項集、不適合事例及び動画のうち、少なくとも一つが、表示装置に表示される。
【００１８】
上記発明において、記憶手段は、点検作業項目ごとの報告書テンプレートを更に保持し、判定結果を報告書テンプレートへ挿入して報告書を作成する報告書作成手段を更に備えてもよい。
【００１９】
この発明によれば、報告書テンプレートに基づく報告書が作成されるため、報告書の作成にかかる時間を短縮化でき、書式の統一化を図ることもできる。
【００２０】
上記発明において、点検作業項目に関する測定結果を入力する入力手段と、入力された測定結果に基づいて、測定結果の時間経過を表示装置に表示させる表示制御手段を更に備えてもよい。
【００２１】
この発明によれば、測定結果の時間経過が表示されるため、機器状態の変化が簡単に識別され得るようになる。また、機器状態の変化に基づいた判断がなされることによって、機器の点検内容や機器の交換などの判断の正確性を向上させることができる。
【００２２】
上記発明において、点検作業リストに基づいて点検作業項目からなる工程表を作成する工程表作成手段を更に備えてもよい。
【００２３】
この発明によれば、点検対象とする機器に対応して抽出された点検作業項目による工程表が作成されるため、工程表の作成にかかる時間を短縮でき、工程表の正確性を向上させることができる。
【００２４】
また、本発明に係る機器点検支援方法は、記憶手段が機器に関する点検作業項目を保持する記憶ステップと、点検対象とされる機器に関する機器情報を取得する取得ステップと、機器情報に基づいて記憶手段から点検作業項目を抽出し、点検対象とされる機器に関する複数の点検作業項目からなる点検作業リストを作成するリスト作成ステップとを備える。
【００２５】
また、本発明に係るプログラムは、機器に関する点検作業項目を保持する記憶手段、点検対象とされる機器に関する機器情報を取得する取得手段、機器情報に基づいて記憶手段から点検作業項目を抽出し、点検対象とされる機器に関する複数の点検作業項目からなる点検作業リストを作成するリスト作成手段としてコンピュータを機能させる。
【発明の効果】
【００２６】
本発明によれば、作業効率を向上させ、作業時間を短縮化することができる。
【図面の簡単な説明】
【００２７】
【図１】本発明の一実施形態に係る機器点検支援システムを用いた点検作業を示すフローチャートである。
【図２】本発明の一実施形態に係る機器点検支援システムを用いた点検作業を示すフローチャートである。
【図３】同実施形態に係る機器点検支援システムを示すブロック図である。
【図４】点検作業リスト画面の初期状態を示す図である。
【図５】点検作業リスト画面を示す図である。
【図６】点検データ読込み画面を示す図である。
【図７】点検データ出力画面を示す図である。
【図８】点検作業リストを示す図である。
【図９】点検種別選択画面を示す図である。
【図１０】不適合対応表示画面を示す図である。
【図１１】点検作業工程表を示す図である。
【図１２】点検結果確認リストを示す図である。
【図１３】点検作業詳細画面を示す図である。
【図１４】説明部表示画面を示す図である。
【図１５】注意事項集表示画面を示す図である。
【図１６】不適合事例表示画面を示す図である。
【図１７】動画表示画面を示す図である。
【図１８】点検チェックシートの一例を示す図である。
【図１９】写真登録画面を示す図である。
【図２０】間隙予想線図入力画面を示す図である。
【図２１】間隙予想線図を示すグラフである。
【図２２】工事情報ダウンロード画面を示す図である。
【図２３】報告書作成画面を示す図である。
【図２４】点検履歴画面を示す図である。
【図２５】点検データアップロード画面を示す図である。
【発明を実施するための形態】
【００２８】
以下に、本発明に係る一実施形態に係る機器点検支援システム１について、図面を参照して説明する。
機器点検支援システム１は、火力、水力、原子力等の発電所に設置されたタービン等の機器類の点検工事にて、監督者（ＳＶ：スーパーバイザー）の作業を支援するシステムである。
【００２９】
機器点検支援システム１は、図３に示すように、サーバ装置２と、インターネット等のネットワークを介してサーバ装置２に接続されたクライアントＰＣ（パーソナルコンピュータ）３からなる。サーバ装置２には、記憶手段にＳＶ点検支援システム用データベース５が構築される。クライアントＰＣ３は、データベース５から必要なデータを取得して、各種支援処理を実行する。サーバ装置２は、他のデータベース６、例えば客先情報データベースを備え、常に新しい客先情報を取得できる。
【００３０】
なお、クライアントＰＣ３は、記憶手段にクライアントＰＣ３用のＳＶ点検支援システム用データベース８を構築して、サーバ装置２と接続されていないスタンドアローン状態においても、サーバ装置２との通信機能を除く機能の使用が可能となっている。
【００３１】
クライアントＰＣ３は、通信手段４，７を介して、指定（表示手段１０上で入力手段９によって入力）された客先情報、プラント（発電所、工場等）情報、機器情報、点検に必要なデータファイルをダウンロードする。クライアントＰＣ３は、通信手段４，７を介して、点検結果データをサーバ装置２のデータベース５へ書き込む。また、クライアントＰＣ３は、通信手段４，７を介して、過去の点検結果データをサーバ装置２からダウンロードすることもできる。
【００３２】
作業項目管理手段１１は、点検対象とされる機器に関する機器情報を取得し、取得した機器情報に基づいて、ＳＶ点検支援システム用データベース５，８から点検作業項目を抽出し、点検対象とされる機器に関する複数の点検作業項目からなる点検作業リスト（図５参照）を作成する。作業項目管理手段１１は、表示手段１０に、点検対象とされる機器（例えば、タービン）の開放手順、組立手順等の点検作業リスト２９を表示させたり、点検実施の要否を表示させたりする。表示手段１０は、例えば液晶ディスプレイ等の表示装置である。表示手段１０に表示された点検作業リスト２９中の各点検作業項目は、選択可能に表示される。なお、各点検作業項目は、機器仕様や点検要否に対応して選択不能に表示されるようにしてもよい。
【００３３】
作業項目管理手段１１は、点検作業リスト２９に基づいて点検作業項目からなる工程表３６（図１１参照）を作成する。点検対象とする機器に対応して抽出された点検作業項目による工程表３６が作成されるため、工程表の作成にかかる時間を短縮でき、工程表の正確性を向上させることができる。また、作業項目管理手段１１は、点検結果に基づく判定結果を点検作業リスト２９に表示する。判定結果が表示されるため、機器状態の適否が簡単に識別され得るようになる。
【００３４】
また、作業項目管理手段１１は、点検作業方法などの点検項目に関する説明文、注意事項集、不適合事例、動画等の点検作業詳細情報を表示手段１０に表示させる。点検作業詳細情報が、表示手段１０に表示されるため、点検作業詳細情報の取得にかかる時間を短縮でき、点検作業詳細情報に基づいた作業が行われることによって、作業の効率化や正確性、点検結果による機器状態の適否判断を向上させることができる。
【００３５】
報告書自動作成手段１２は、操作手段９によって入力された点検結果と予め用意された報告書テンプレートに基づいて報告書を作成する。また、報告書自動作成手段１２は、客先情報、プラント（発電所、工場等）情報、機器情報に基づいて、報告書の表紙や仕様一覧（機器主要目）等を作成する。報告書テンプレートに基づく報告書が作成されるため、報告書の作成にかかる時間を短縮化でき、書式の統一化を図ることもできる。
【００３６】
また、点検結果自動判定手段１３は、点検チェックシート４３（図１８参照）を表示手段１０に表示させ、点検結果の入力を受け付ける。点検結果自動判定手段１３は、操作手段９によって点検チェックシート４３に入力された点検結果に基づいて、予め設定した判定式により点検結果を判定する。点検作業によって測定された測定結果から、機器状態の適否が判定されるため、判定結果の正確性を向上かつ安定化させる。
【００３７】
対処方法，メーカ連絡先表示，リンク手段１４は、点検不適合な箇所に対する具体的な対処方法と、連絡先をデータベース５，８から抽出し、表示手段１０に表示させる。対処方法や連絡先は、図１０に示すような画面３５上に表示される。対処方法やメーカ連絡先が表示手段１０に表示されるため、点検結果が不適合な場合における対処がスムーズになる。
【００３８】
次に、図１及び図２のフローチャートを参照して、本実施形態に係る機器点検支援システム１を用いた点検作業について説明する。また、図４から図２５の画面表示例を適宜参照して、機器点検支援システム１のクライアントＰＣ３を用いた操作を説明する。
【００３９】
まず、監督者（ＳＶ）によって点検対象とされる客先、プラント、機器が決定され、巡回計画が立案される（ステップＳ１）。
【００４０】
機器点検支援システム１がクライアントＰＣ３でＳＶによって操作されると、まず、図４に示す点検作業リスト画面１５の初期画面が開かれる。そして、点検作業リスト画面１５上のダウンロードボタン２０が指定（表示手段１０上でクリック）されると、図２２の工事情報ダウンロード画面４８が開かれる。立案された計画に基づいて、オーダ番号が入力されると、サーバ装置２からＳＶが携行するクライアントＰＣ３へ機器情報、点検データ等がダウンロードされる（ステップＳ２）。
【００４１】
その結果、点検作業リスト画面１５は、図５に示す点検作業リスト画面１５へ遷移する。点検作業リスト画面１５には、取得された工事情報、例えば客先、プラント、機器に対応した複数の点検作業項目が、点検作業リスト２９に表示される。点検作業項目は、ＳＶ点検支援システム用データベース５，８に予め保持されており、複数の点検作業項目から機器等に応じた点検作業項目が抽出されて、点検作業リスト２９が作成される。または、点検作業が必要な項目のチェックボックスがＯＮとなる。したがって、ＳＶが点検作業リストを作成する際にかかる手間を低減したり、作成される点検作業リストの質を向上させたりすることができる。
【００４２】
機器によっては、詳細な種別や仕様に応じて点検作業項目が異なる。したがって、点検作業リスト画面１５の点検タイプボタン３０が指定されると、図９の機器タイプ選択画面３４が開かれる（ステップＳ３）。図９では、機器がタービンである場合の例を示している。機器タイプ選択画面３４を介して、機器の種別や仕様が選択されると、点検作業リスト２９に表示される点検作業項目が機器の種別や仕様に応じた一覧に変更される。又は、点検作業の要否に応じてチェックボックスのＯＮ・ＯＦＦが切り替わる。
【００４３】
また、機器点検支援システム１によれば、作成された点検作業リスト２９に挙げられている点検作業項目に基づいて、工程表３６を作成することができる（ステップＳ４）。点検作業リスト画面１５の工程表作成ボタン３１が指定されると、図１１に示すような点検作業に関する工程表３６が作成される。工程表３６は、例えば、点検作業項目毎に予め設定されている所要予定時間に基づいて作成される。工程表３６は、ＳＶらによる検討結果に応じて編集可能である。なお、所要予定時間は手動で修正することもできる。
【００４４】
上記作業がクライアントＰＣ３で実行されると、実際の点検作業の準備が整い、点検工事の現場である、例えば工場へＳＶが出向する（ステップＳ５）。点検工事の現場では、作成された点検作業リスト２９に基づいて、機器の開放・点検・組立作業が実施される（ステップＳ６）。
【００４５】
該当する点検作業項目について、点検作業リスト２９上の手順番号が指定されると、図１３に示す点検作業詳細画面３８が開かれ、ＳＶは、各点検作業の詳細情報を取得しながら、点検作業を実施する（ステップＳ７）。画面３８上のボタンが指定されることによって、点検内容説明文、注意事項集、不適合事例、動画といった内容を確認できる（ステップＳ８）。点検内容説明文、注意事項集、不適合事例、動画は、それぞれ図１４、図１５、図１６、図１７に示す画面３９，４０，４１，４２のように表示される。
【００４６】
そして、点検作業ごとに、点検結果が記録される（ステップＳ９）。例えば図１８に示すような点検チェックリスト４３に基づいて、点検が実施され、点検結果が点検チェックリスト４３上に入力される。また、図１９に示す写真登録画面４４を介して、点検作業において撮影された写真が登録されたり、テキスト入力が可能な特記事項入力画面（図示せず。）を介して、点検作業で発生した特記事項が入力されたりする。
【００４７】
機器状態の経過を確認する必要がある場合は、点検結果が時間を追って入力される。本実施形態では、機器のある部位の間隙の推移を表す間隙予想線図が得られるように、点検結果が入力される（ステップＳ１０）。例えば、図２０に示す入力画面４６に点検結果が入力され、入力結果に基づいて、図２１に示すようなグラフが得られる。その結果、将来の機器状態が予想可能になり、部品の交換時期や点検時期の目安が得られる。
【００４８】
各点検作業において、必要な作業が終了したとき、点検作業詳細画面３８の完了ボタンが指定される（ステップＳ１１）。完了ボタンが指定されると、入力された点検結果に基づいて、点検内容の正否、機器状態の適否などが判定される（ステップＳ１２）。
【００４９】
全ての点検作業項目について点検が完了したか否かが判断され（ステップＳ１６）、判定結果が全て適合となり、又は不適合結果がある場合は不適合対応がなされ、かつ全ての点検作業項目についての点検が完了したとき、ステップＳ１７へ移行する。それ以外のときは、ステップＳ６からステップＳ１２、又はステップＳ６からステップＳ１５までが繰り返される。
【００５０】
判定結果が不適合であるときは、図８に示すように、点検作業リスト２９中の判定結果欄に例えば「×」が表示される（ステップＳ１３）。点検作業リスト２９の「×」が指定されると、対処方法、メーカ連絡先が表示される（ステップＳ１４）。ＳＶは、表示された対処方法、メーカ連絡先を参照しながら、不適合な点検結果に対して対応する（ステップＳ１５）。
【００５１】
全ての点検作業項目について点検が完了したとき、点検作業リスト画面１５（図５参照）の点検結果確認ボタン１９が指定されると、全ての点検作業項目が挙げられた図１２に示すような点検結果確認リスト３７が表示される（ステップＳ１７）。なお、全ての点検作業項目について点検が完了する前に、点検作業リスト画面１５（図５参照）の点検結果確認ボタン１９が指定されると、完了している点検作業項目が一覧表示される。
【００５２】
また、点検作業リスト画面１５の報告書作成ボタン２１が指定されると、点検結果を含む報告書が作成される（ステップＳ１８）。作成される報告書は、例えば表紙、目次、仕様一覧（機器主要目）、点検チェックシート４３などである。報告書作成の際は、例えば図２３に示す報告書作成画面４９を介して、挿入する点検チェックシート４３や追加資料などが選択可能である。
【００５３】
ＳＶは、点検作業完了後、機器点検支援システム１によって出力された報告書によって客先報告できる（ステップＳ１９）。また、拠点へ帰任後（ステップＳ２０）、点検作業リスト画面１５のアップロードボタン２２を指定することで、図２５に示すアップロード画面５１が開き、画面５１を介して、クライアントＰＣ３からサーバ装置２へ点検データをアップロードできる（ステップＳ２１）。これにより、点検作業に関するデータがサーバ装置２に蓄積され、過去の作業の点検結果として閲覧可能になる。例えば、図２４に示す点検履歴画面５０を介して、読み出す点検結果や報告書が選択可能である。なお、点検作業リスト画面１５のログアウトボタン２８が指定されると、点検作業リスト画面１５が閉じられる。
【００５４】
次に、表示手段１０に表示される画面のうち主要な画面について説明する。
図５を参照して、点検作業リスト画面１５について説明する。点検作業リスト画面１５は、工事情報表示部１６と、メインメニュー表示部１７と、点検作業リスト２９からなる。点検作業リスト画面１５は、機器点検支援システム１にログイン後、表示手段１０に表示される。
【００５５】
工事情報表示部１６には、点検工事の工事情報が表示される。メインメニュー表示部１７には、各種処理の実行を開始するためのボタンが配置される。メインメニュー表示部１７には、例えば、点検作業ボタン１８、点検結果確認ボタン１９、ダウンロードボタン２０、報告書作成ボタン２１、アップロードボタン２２、点検履歴ボタン２２、メンテナンスボタン２４、保存ボタン２５、読込みボタン２６、出力ボタン２７、ログアウトボタン２８が表示される。
【００５６】
点検作業リスト２９には、図８に示すように、点検作業項目が一覧表示される。各点検作業項目は、選択可能に表示され、選択されたとき、選択された点検作業に関する点検方法を参照したり、点検記録データを登録したりすることができる画面へ案内する点検作業詳細画面３８（図１３参照）が表示される。メインメニュー部１７の点検作業ボタン１８が指定されると、実施中の工事情報に関する点検作業リスト２９（図５参照）が表示され、点検結果確認ボタン１９が指定されると、図５の点検作業リスト２９が表示されている部分に、点検作業が完了した点検作業項目が集約された点検結果確認リスト３７（図１２参照）が表示される。
【００５７】
図６を参照して、読込み画面３２について説明する。読込み画面３２は、メインメニュー表示部１７の読込みボタン２６が指定されると表示される。読込み画面３２には、出力ボタン２７の操作により出力され、データベース８に保存されている点検データの一覧が表示される。一の保存名称が選択されると、保存名称に対応する点検データが点検作業リスト２９に読み込まれる。
【００５８】
図７を参照して、出力画面３３について説明する。出力画面３３は、メインメニュー表示部１７の出力ボタン２７が指定されると表示される。出力画面３３には、出力対象が一覧表示される。出力画面３３を介して、点検データが新たな保存名称又は既存の保存名称でクライアントＰＣ３に保存される。なお、メインメニュー表示部１７の保存ボタン２５が指定されると、実行中の点検データがクライアントＰＣ３に保存される。
【００５９】
図８を参照して、点検作業リスト２９について説明する。点検作業リスト２９には、点検作業項目毎に、対象項目のチェックボックス、判定結果、項目（大工程）、手順番号、工程（点検作業工程）、確認項目、予想時間、実績時間、写真の有無、特記事項などが表示される。
【００６０】
本実施形態の点検作業リスト２９では、点検対象となる点検作業項目のチェックボックスがＯＮとされて表示される。点検対象外の点検作業項目は、チェックボックスがＯＦＦとされる。
【００６１】
手順番号が選択されることで、選択した点検作業に関する点検作業詳細画面３８が表示される。なお、点検作業リスト２９には、点検作業対象外項目を区別できるように色替えして表示してもよい。また、点検作業完了項目についても、色替えして表示してもよい。点検項目が順番に実施されるように、例えば手順番号の文字色を変えて、順番が識別できるように表示してもよい。
【００６２】
判定結果は、例えば点検結果の記録値が推奨範囲内であれば「○」、記録値が管理値内で推奨範囲外であれば「△」、記録値が管理値外であれば「×」、判定不要又は点検結果未入力であれば「−」というように、表示される。判定結果が「×」又は「△」の場合、判定結果が指定されると、不適合対応のテキストファイルが表示される。
【００６３】
図１２を参照して、点検結果確認リスト３７について説明する。点検結果確認リスト３７には、点検作業項目毎に、判定結果、項目（大工程）、手順番号、工程（点検作業工程）、確認項目、計測結果、写真の有無、特記事項が表示される。計測結果の欄には、点検チェックシート４３の名称が表示される。表示された名称が指定されると、点検チェックシート４３が表示される。
【００６４】
図１３を参照して、点検作業詳細画面３８について説明する。点検作業詳細画面３８は、点検作業リスト２９上の手順番号ボタンが指定されることで表示される。点検作業詳細画面３８上のボタンが選択されることで、選択された点検番号に対応する点検作業方法などの説明文、注意事項集、不適合事例、動画に係る画面３９，４０，４１，４２（図１４、図１５、図１６、図１７参照）が表示され、点検作業内容を確認することができる。また、点検作業詳細画面３８のボタンが選択されることで、点検チェックシート４３（図１８参照）、写真登録画面４４（図１９参照）、特記事項入力画面が表示され、点検結果が入力される。
【００６５】
図１８を参照して、点検チェックシート４３について説明する。点検チェックシート４３は、点検結果が入力可能であり、入力された点検結果に基づいて、予め設定した判定式により結果の適合又は不適合を判定する。判定結果は、点検作業リスト２９の判定欄に反映される。
【００６６】
以上、本実施形態によれば、点検作業項目のリストアップ、工程表の作成、報告書作成準備、報告書作成にかかる時間が短縮化される。また、予め記憶手段に保持されている内容に基づくリストになるため、点検作業リストや工程表の質を向上させることができる。
【００６７】
例えば、経験の浅いＳＶが、機器点検支援システム１を用いて点検作業を進めれば、手戻りや、機器の不適合時における対処をスムーズにすることができる。また、報告書テンプレートを予め保持しているため、ＳＶ各人によらず、報告書の書式や内容が統一化される。更に、点検記録の履歴が視覚化されて表示されるため、部品交換時期の提案を適切に行うことができる。
【符号の説明】
【００６８】
１  機器点検支援システム
２  サーバ装置
３  クライアントＰＣ
４，７  通信手段
５，８  ＳＶ点検支援システム用データベース
９  操作手段（入力手段）
１０  表示手段
１１  作業項目管理手段（取得手段、リスト作成手段、表示制御手段、工程表作成手段）
１２  報告書自動作成手段（報告書作成手段）
１３  点検結果自動判定手段（判定手段）
１４  対処方法、メーカ連絡先表示、リンク手段
【図１】
0005769520.tif 000002
【図２】
0005769520.tif 000003
【図３】
0005769520.tif 000004
【図４】
0005769520.tif 000005
【図５】
0005769520.tif 000006
【図６】
0005769520.tif 000007
【図７】
0005769520.tif 000008
【図８】
0005769520.tif 000009
【図９】
0005769520.tif 000010
【図１０】
0005769520.tif 000011
【図１１】
0005769520.tif 000012
【図１２】
0005769520.tif 000013
【図１３】
0005769520.tif 000014
【図１４】
0005769520.tif 000015
【図１５】
0005769520.tif 000016
【図１６】
0005769520.tif 000017
【図１７】
0005769520.tif 000018
【図１８】
0005769520.tif 000019
【図１９】
0005769520.tif 000020
【図２０】
0005769520.tif 000021
【図２１】
0005769520.tif 000022
【図２２】
0005769520.tif 000023
【図２３】
0005769520.tif 000024
【図２４】
0005769520.tif 000025
【図２５】
0005769520.tif 000026